【手続補正書】
【提出日】平成23年9月14日(2011.9.14)
【手続補正１】
【補正対象書類名】特許請求の範囲
【補正対象項目名】全文
【補正方法】変更
【補正の内容】
【特許請求の範囲】
【請求項１】
イオンガイド装置であって、
第１のイオンガイドであって、使用時にイオンを透過させる少なくとも一つの孔を各電極が有する第１の複数の電極と、第１のイオンガイドに沿って又は第１のイオンガイドの内部に形成される第１のイオン誘導路と、を備える第１のイオンガイドと、
第２のイオンガイドであって、使用時にイオンを透過させる少なくとも一つの孔を各電極が有する第２の複数の電極と、第２のイオンガイドに沿って又は第２のイオンガイドの内部に形成される第２のイオン誘導路、とを備える第２のイオンガイドと、
前記第１のイオン誘導路と前記第２のイオン誘導路との間の前記イオンガイド装置の長さ方向に沿った一つ以上の地点に、一つ以上の疑似ポテンシャル障壁を形成するように配置され構成される第１の装置と、
前記一つ以上の疑似ポテンシャル障壁を超えるようにイオンを誘導することによって、前記第１のイオン誘導路から前記第２のイオン誘導路へ径方向にイオンを移動させるように配置され構成される第２の装置と、
を備えるイオンガイド装置。
【請求項２】
請求項１に記載のイオンガイド装置であって、
前記第１のイオンガイドが、第１の断面積を有するイオン誘導領域を備え、前記第２のイオンガイドが、第２の断面積を有するイオン誘導領域を備え、前記第１の断面積と前記第２の断面積とが異なる、イオンガイド装置。
【請求項３】
請求項２に記載のイオンガイド装置であって、
前記第２の断面積に対する前記第１の断面積の比が、（ｉ）０．１未満の値、（ｉｉ）０．１から０．２の範囲の値、（ｉｉｉ）０．２から０．３の範囲の値、（ｉｖ）０．３から０．４の範囲の値、（ｖ）０．４から０．５の範囲の値、（ｖｉ）０．５から０．６の範囲の値、（ｖｉｉ）０．６から０．７の範囲の値、（ｖｉｉｉ）０．７から０．８の範囲の値、（ｉｘ）０．８から０．９の範囲の値、（ｘ）０．９から１．０の範囲の値、（ｘｉ）１．０から１．１の範囲の値、（ｘｉｉ）１．１から１．２の範囲の値、（ｘｉｉｉ）１．２から１．３の範囲の値、（ｘｉｖ）１．３から１．４の範囲の値、（ｘｖ）１．４から１．５の範囲の値、（ｘｖｉ）１．５から１．６の範囲の値、（ｘｖｉｉ）１．６から１．７の範囲の値、（ｘｖｉｉｉ）１．７から１．８の範囲の値、（ｘｉｘ）１．８から１．９の範囲の値、（ｘｘ）１．９から２．０の範囲の値、（ｘｘｉ）２．０から２．５の範囲の値、（ｘｘｉｉ）２．５から３．０の範囲の値、（ｘｘｉｉｉ）３．０から３．５の範囲の値、（ｘｘｉｖ）３．５から４．０の範囲の値、（ｘｘｖ）４．０から４．５の範囲の値、（ｘｘｖｉ）４．５から５．０の範囲の値、（ｘｘｖｉｉ）５．０から６．０の範囲の値、（ｘｘｖｉｉｉ）６．０から７．０の範囲の値、（ｘｘｉｘ）７．０から８．０の範囲の値、（ｘｘｘ）８．０から９．０の範囲の値、（ｘｘｘｉ）９．０から１０．０の範囲の値および（ｘｘｘｉｉ）１０．０より大きい値、からなる群から選択される、イオンガイド装置。
【請求項４】
請求項１〜３のいずれか一項に記載のイオンガイド装置であって、
前記第１のイオンガイド及び／又は前記第２のイオンガイドの長さの少なくとも１％、５％、１０％、２０％、３０％、４０％、５０％、６０％、７０％、８０％、９０％、９５％または１００％に関して、前記第１のイオンガイド及び前記第２のイオンガイドが、互いに結合されるか、互いに統合されるか、互いに重なり合うか、又は、互いに開口する、イオンガイド装置。
【請求項５】
請求項１〜４のいずれか一項に記載のイオンガイド装置であって、
動作モード下で、前記第１の複数の電極の少なくとも１％、５％、１０％、２０％、３０％、４０％、５０％、６０％、７０％、８０％、９０％、９５％または１００％の一つ以上の電極と、前記第２の複数の電極の少なくとも１％、５％、１０％、２０％、３０％、４０％、５０％、６０％、７０％、８０％、９０％、９５％または１００％の一つ以上の電極との間の電位差が維持され、
前記電位差が、（ｉ）±０Ｖから±１０Ｖの範囲の値、（ｉｉ）±１０Ｖから±２０Ｖの範囲の値、（ｉｉｉ）±２０Ｖから±３０Ｖの範囲の値、（ｉｖ）±３０Ｖから±４０Ｖの範囲の値、（ｖ）±４０Ｖから±５０Ｖの範囲の値、（ｖｉ）±５０Ｖから±６０Ｖの範囲の値、（ｖｉｉ）±６０Ｖから±７０Ｖの範囲の値、（ｖｉｉｉ）±７０Ｖから±８０Ｖの範囲の値、（ｉｘ）±８０Ｖから±９０Ｖの範囲の値、（ｘ）±９０Ｖから±１００Ｖの範囲の値、（ｘｉ）±１００Ｖから±１５０Ｖの範囲の値、（ｘｉｉ）±１５０Ｖから±２００Ｖの範囲の値、（ｘｉｉｉ）±２００Ｖから±２５０Ｖの範囲の値、（ｘｉｖ）±２５０Ｖから±３００Ｖの範囲の値、（ｘｖ）±３００Ｖから±３５０Ｖの範囲の値、（ｘｖｉ）±３５０Ｖから±４００Ｖの範囲の値、（ｘｖｉｉ）±４００Ｖから±４５０Ｖの範囲の値、（ｘｖｉｉｉ）±４５０Ｖから±５００Ｖの範囲の値、（ｘｉｘ）±５００Ｖから±５５０Ｖの範囲の値、（ｘｘ）±５５０Ｖから±６００Ｖの範囲の値、（ｘｘｉ）±６００Ｖから±６５０Ｖの範囲の値、（ｘｘｉｉ）±６５０Ｖから±７００Ｖの範囲の値、（ｘｘｉｉｉ）±７００Ｖから±７５０Ｖの範囲の値、（ｘｘｉｖ）±７５０Ｖから±８００Ｖの範囲の値、（ｘｘｖ）±８００Ｖから±８５０Ｖの範囲の値、（ｘｘｖｉ）±８５０Ｖから±９００Ｖの範囲の値、（ｘｘｖｉｉ）±９００Ｖから±９５０Ｖの範囲の値、（ｘｘｖｉｉｉ）±９５０Ｖから±１０００Ｖの範囲の値および（ｘｘｉｘ）±１０００Ｖより大きい値、からなる群から選択される，イオンガイド装置。
【請求項６】
請求項１〜５のいずれか一項に記載のイオンガイド装置であって、
前記第１のイオンガイドが第１の長手方向中心軸を備え、前記第２のイオンガイドが第２の長手方向中心軸を備え、前記第１のイオンガイド及び／又は前記第２のイオンガイドの長さの少なくとも１％、５％、１０％、２０％、３０％、４０％、５０％、６０％、７０％、８０％、９０％、９５％または１００％に関して、前記第１の長手方向中心軸が、前記第２の長手方向中心軸に対して、ほぼ平行に配置される、イオンガイド装置。
【請求項７】
請求項１〜６のいずれか一項に記載のイオンガイド装置であって、
前記第１のイオンガイドと前記第２のイオンガイドの間に一つ以上のクロスオーバー領域、クロスオーバーセクション、又は、接合部が配置され、
前記一つ以上のクロスオーバー領域、クロスオーバーセクション、又は、接合部において、前記第１のイオンガイドから前記第２のイオンガイドに、及び／又は、前記第２のイオンガイドから前記第１のイオンガイドに、少なくとも一部のイオンを移動させる、イオンガイド装置。
【請求項８】
請求項１〜７のいずれか一項に記載のイオンガイド装置であって、さらに、
前記第１の複数の電極及び／又は前記第２の複数の電極の少なくとも一部に第１のＡＣ電圧またはＲＦ電圧を印加するＡＣ電圧源またはＲＦ電圧源を備え、前記ＡＣ電圧またはＲＦ電圧は、前記第１のイオンガイド及び／又は前記第２のイオンガイド内で径方向にイオンを閉じ込めるように作用する一つ以上の径方向疑似井戸型ポテンシャルを生成する、イオンガイド装置。
【請求項９】
請求項１〜８のいずれか一項に記載のイオンガイド装置であって、
使用時に、前記第１のイオンガイド及び／又は前記第２のイオンガイドの一つ以上のセクションまたは部分にわたって、あるいは、前記一つ以上のセクション又は部分に沿って、軸方向及び／又は径方向の非ゼロＤＣ電圧勾配が維持される、イオンガイド装置。
【請求項１０】
イオン誘導方法であって、
第１のイオンガイドであって、使用時にイオンを透過させる少なくとも一つの孔を各電極が有する第１の複数の電極と、第１のイオンガイドに沿って又は第１のイオンガイドの内部に形成される第１のイオン誘導路と、を備える第１のイオンガイドを準備する工程と、
第２のイオンガイドであって、使用時にイオンを透過させる少なくとも一つの孔を各電極が有する第２の複数の電極と、第２のイオンガイドに沿って又は第２のイオンガイドの内部に形成される第２のイオン誘導路、とを備える第２のイオンガイドを準備する工程と、
前記第１のイオン誘導路と前記第２のイオン誘導路との間において前記第１と第２のイオンガイドを含むイオンガイド装置の長さ方向に沿った一つ以上の地点に、一つ以上の疑似ポテンシャル障壁を形成する工程と、
前記一つ以上の疑似ポテンシャル障壁を超えるようにイオンを誘導することによって、前記第１のイオン誘導路から前記第２のイオン誘導路へ径方向にイオンを移動させる工程と、
を備えるイオン誘導方法。
【請求項１１】
請求項１０に記載のイオン誘導方法を備える質量分析方法。